(57)【要約】【課題】部品の組合せで違う形状のものを形成できるようにすることにより、立掛け支持される被支持体の形状や大きさに応じて任意の形状や大きさのものが提供可能な組立式スタンドを得る。【解決手段】立掛け支持される被支持体の下部を支持する下部支持部１０Ａと、上部を支持する上部支持部１０Ｂとを同一平面内で一体に形成して支持部１０が構成され、該支持部１０の複数を前記平面が互いに平行となるように配置して、それらの支持部１０を連結させる連結部２０を備える。【選択図】図１
2014144193.tif 000002
【特許請求の範囲】
【請求項１】
立掛け支持される被支持体の下部を支持する下部支持部と、上部を支持する上部支持部とを同一平面内で一体に形成して支持部が構成され、
該支持部の複数を前記平面が互いに平行となるように配置して、それらの支持部を連結させる連結部を備えることを特徴とする組立式スタンド。
【請求項２】
請求項１において、
前記連結部は棒状部材から成り、前記支持部には前記棒状部材が差し込まれる貫通孔が形成され、前記貫通孔に前記棒状部材を差し込むことにより複数の支持部が連結されることを特徴とする組立式スタンド。
【請求項３】
請求項２において、
前記支持部には前記棒状部材が差し込まれる貫通孔が複数個所に形成されていることを特徴とする組立式スタンド。
【請求項４】
請求項１乃至３のいずれかにおいて、
一対の前記支持部と一つの前記連結部が一つの平面上に並べられた状態で射出成形により一体成形されることを特徴とする組立式スタンド。
【発明の詳細な説明】
【技術分野】
【０００１】
本発明は、スマートフォン、タブレット型コンピュータなどを使用時に立掛けて支持する、或いは写真立てなどとしても使用可能な組立式スタンドに関する。
【背景技術】
【０００２】
一枚の板材を立体的に折り曲げて形成される携帯端末用支持具が下記特許文献１に開示されている。この携帯端末用支持具は、一枚の板材の一部に切り込みを入れて上方に折り曲げることにより携帯端末の上部を支持する上部支持部を構成し、残った下部に携帯端末の下部を支持する下部支持部を構成して成る。この支持具により携帯端末の下部と上部を支持して、携帯端末を立掛け支持できるようにしている。
【先行技術文献】
【特許文献】
【０００３】
【特許文献１】登録実用新案第３１８０１４１号公報
【発明の概要】
【発明が解決しようとする課題】
【０００４】
しかし、上記特許文献１の携帯端末用支持具は、一枚の板材に切り込みを入れて折り曲げて形成されるものであるため、形状や大きさが予め決められたものとなってしまう問題がある。そのため、支持具の用途は、決められた範囲の形状や大きさの携帯端末を支持することに限定されてしまう。
このような問題に鑑み本発明の課題は、部品の組合せで違う形状のものを形成できるようにすることにより、立掛け支持される被支持体の形状や大きさに応じて任意の形状や大きさのものが提供可能な組立式スタンドを得ることにある。
【課題を解決するための手段】
【０００５】
本発明の第１発明の組立式スタンドは、立掛け支持される被支持体の下部を支持する下部支持部と、上部を支持する上部支持部とを同一平面内で一体に形成して支持部が構成され、該支持部の複数を前記平面が互いに平行となるように配置して、それらの支持部を連結させる連結部を備えることを特徴とする。
第１発明によれば、連結部によって連結される支持部の数を適宜選択することにより、任意の形状、大きさの組立式スタンドを構成することができる。
【０００６】
本発明の第２発明は、上記第１発明において、前記連結部は棒状部材から成り、前記支持部には前記棒状部材が差し込まれる貫通孔が形成され、前記貫通孔に前記棒状部材を差し込むことにより複数の支持部が連結されることを特徴とする。
第２発明によれば、支持部の貫通孔に棒状部材を差し込むことにより複数の支持部が連結されるため、一本の棒状部材に２以上の支持部を連結することもできる。それにより組立式スタンドとしての強度を適宜高めることができる。
【０００７】
本発明の第３発明は、上記第２発明において、前記支持部には前記棒状部材が差し込まれる貫通孔が複数個所に形成されていることを特徴とする。
第３発明によれば、棒状部材を違う位置にある貫通孔に差し込んで複数の支持部を連結することにより違う形状の組立式スタンドを得ることができる。
また、一つの棒状部材によって一対の支持部が連結された組立式スタンドに対して、別の棒状部材と別の貫通孔を使って別の支持部を追加して連結することができる。従って、任意の数の棒状部材と支持部とを使って任意の大きさの組立式スタンドを得ることができる。
【０００８】
本発明の第４発明は、上記第１乃至第３発明のいずれかにおいて、一対の前記支持部と一つの前記連結部が一つの平面上に並べられた状態で射出成形により一体成形されることを特徴とする。
第４発明によれば、一つの組立式スタンドを構成することができる支持部と連結部とを一体のものとして形成することができる。
【０００９】
本発明の第５発明は、上記第１乃至第４発明のいずれかにおいて、前記支持部及び連結部はＡＢＳ樹脂によって構成されていることを特徴とする。
第５発明によれば、ＡＢＳ樹脂の弾性により支持部と連結部との連結時の接合強度を適度に確保することができる。また、ＡＢＳ樹脂の表面の柔軟性により支持部と連結部の取扱時の触感を良くすることができる。
【図面の簡単な説明】
【００１０】
【図１】本発明の第１実施形態の斜視図である。
【図２】上記実施形態の各部品を射出成形して製造した成形品の正面図である。
【図３】上記成形品の側面図である。
【図４】上記実施形態の使い方を説明する説明図である。
【図５】上記実施形態の使用例を示す斜視図である。
【図６】本発明の第２実施形態を示す図２と同様の正面図である。
【発明を実施するための形態】
【００１１】
図１は本発明の第１実施形態を示し、図１（Ａ）、（Ｂ）は二つの支持部１０を一つの連結部２０で連結して組立式スタンドが構成され、図１（Ｃ）は四つ支持部１０を三つの連結部２０で連結して組立式スタンドが構成され、図１（Ｄ）は四つ支持部１０を二つづつ重ねて二つの連結部２０で連結して組立式スタンドが構成されている。なお、図１（Ａ）、（Ｂ）は同じ組立式スタンドを違う角度から見た状態を示している。
各支持部１０は全て同じ形状を成し、三つの平坦部１５、１６、１７を横につないだ下部支持部１０Ａに対して上部支持部１０Ｂが同一平面内で縦方向に立ち上げられている。平坦部１５、１６は、互いに隣接して配置され、平坦部１７は平坦部１５、１６から離間して配置されている。各平坦部１５、１６、１７は互いに角度を異ならせた平面で形成されている。そして、下部支持部１０Ａに対する上部支持部１０Ｂの立上位置は、平坦部１５、１６と平坦部１７との間とされている。また、平坦部１５の平坦部１６側には突部１８が形成され、平坦部１５と平坦部１６との間に立壁を形成している。一方、平坦部１７の先端側にも突部１９が形成され、平坦部１７の先端側に立壁を形成している。更に、上部支持部１０Ｂは立上方向の途中で約９０度に屈曲されており、この屈曲部１４の上下の各部位は下部支持部１０Ａに対して約４５度の角度を成して傾斜している。
下部支持部１０Ａの先端である平坦部１６の下には貫通孔１１が形成され、下部支持部１０Ａと上部支持部１０Ｂとの結合部分には貫通孔１２が形成され、更に上部支持部１０Ｂの先端部にも貫通孔１３が形成されている。各貫通孔１１、１２、１３は、下部支持部１０Ａ及び上部支持部１０Ｂが形成された面に対して直交する方向に貫通されており、いずれも直角三角形状を成し、同じ形状、同じ寸法とされている。
連結部２０は棒状部材から成り、その両端が支持部１０の各貫通孔１１、１２、１３に嵌合するように断面形状が各貫通孔１１、１２、１３と同じ直角三角形状とされている。
【００１２】
図１（Ａ）、（Ｂ）では、連結部２０が二つの支持部１０、１０の各貫通孔１２に嵌合されて組立式スタンドが構成されており、図１（Ｃ）では、図１（Ａ）、（Ｂ）と同様の組立式スタンド二組が、各組立式スタンドの互いに隣接配置された支持部１０同士を別途用意された連結部２０で連結して、図１（Ａ）、（Ｂ）の組立式スタンドの３倍の幅を持った組立式スタンドが構成されている。ここで、別途用意された連結部２０は支持部１０の貫通孔１３に嵌合されている。また、図１（Ｄ）では、二つの支持部１０が横方向に密着して重ねられたものが二組用意され、それら支持部１０の各貫通孔１１、１２に二つの連結部２０がそれぞれ嵌合されて組立式スタンドが構成されている。
図１（Ａ）、（Ｂ）の組立式スタンドは基本形となる構成であり、図１（Ｃ）の組立式スタンドは上記基本形に比べて横幅を大きくして大きな被支持体を支持できるようにした構成である。また、図１（Ｄ）の組立式スタンドは上記基本形に比べて支持強度を高めて重い被支持体を支持できるようにした構成である。なお、図１（Ｄ）の組立式スタンドは、四つの支持体１０を二つづつに密着して重ねて配置しているが、四つの各支持体１０間に互いに均等の隙間をあけて配置しても図１（Ｄ）と同様に支持強度を高めた組立式スタンドを構成することができる。また、図１（Ｄ）の組立式スタンドでは連結部２０を一つのみとしても上記基本形に比べて支持強度を高めたものとすることができる。ここで連結部２０を一つのみとする場合、支持部１０の貫通孔１２に嵌合される連結部２０を残すのが強度確保上望ましい。
【００１３】
図２、３は、上記実施形態の支持部１０及び連結部２０を、透明なＡＢＳ樹脂の射出成形にて製造した成形品を示しており、組立式スタンドの基本形を構成することができる二つの支持部１０と一つの連結部２０が一体に形成される。成形品は、二つの支持部１０の各上部支持部１０Ｂが互いに向かい合うように配置され、それらの支持部１０同士が一つの連結部１０によって結合されて配置されている。各支持部１０と連結部２０との間には射出成形に伴うゲート部３１、３２が形成されている。これらのゲート部３１、３２は、充分に細く形成されているため、各支持部１０と連結部２０とを手で持って引張ることにより容易に切り離すことができる。
このように組立式スタンドの基本形を成す二つの支持部１０と一つの連結部２０とが一つの平面を成すように一体に形成されるため、この状態でパッケージングすることによりコンパクトで取扱い易い商品とすることができる。
図３に示されるように、支持部１０と連結部２０とが平面上に並ぶように成形されたとき、直角三角形状の連結部２０の頂部は支持部１０の高さより僅かに高く形成されている。なお、図３は、図２における二つの支持部１０の一方を除外した状態で描かれている。
【００１４】
図４は上記組立式スタンドを使ってスマートフォンなどの被支持体を立掛け支持する際の三つの態様Ａ〜Ｃを示している。Ａは下部支持部１０Ａの先端にある平坦部１６に被支持体の下部を支持し、上部を上部支持部１０Ｂの先端部に支持した場合であり、Ｂは平坦部１６より上部支持部１０Ｂ側の平坦部１５に被支持体の下部を支持し、上部を上部支持部１０Ｂの先端部に支持した場合であり、Ｃは下部支持部１０Ａにおいて平坦部１６とは反対側の先端にある平坦部１７に被支持体の下部を支持し、上部を上部支持部１０Ｂの先端部に支持した場合である。
このように上記組立式スタンドでは三つの態様Ａ〜Ｃで被支持体を立掛け支持することができ、３種類の立掛け角度から好みの角度を選択して使用することができる。この場合、立掛け角度はＡ、Ｂ、Ｃの順に大きくなっている。
【００１５】
図５は被支持体としてスマートフォン４１及びタブレット型コンピュータ４２を上記組立式スタンドによって立掛け支持した状態を例示している。
図５（Ａ）はスマートフォン４１を横置きにして、図４におけるＡの態様で支持しており、図５（Ｂ）はスマートフォン４１を縦置きにして、図４におけるＢの態様で支持しており、図５（Ｃ）はカバー４１Ａを付けたスマートフォン４１を横置きにして、図４におけるＢの態様で支持しており、図５（Ｄ）はタブレット型コンピュータ４２を横置きにして、図４におけるＢの態様で支持している。図５（Ａ）、（Ｂ）、（Ｃ）は、図１（Ａ）、（Ｂ）に示す基本形の組立式スタンドを使用しており、図５（Ｄ）は、図１（Ｃ）に示す横幅を広くされた組立式スタンドを使用している。
図５（Ａ）では、スマートフォン４１の下部が、先端に突部が形成されていない平坦部１６に置かれても、スマートフォン４１が横置きとされ、重心を低くされているため、スマートフォン４１を操作したとき、スマートフォン４１の下部が平坦部１６から外れて落下してしまうことは抑制される。図５（Ｂ）では、スマートフォン４１の下部が、先端に突部１８が形成された平坦部１５に置かれているため、スマートフォン４１が縦置きとされ、横置きの場合に比べて重心を高くされても、スマートフォン４１を操作したとき、スマートフォン４１の下部が平坦部１５から外れて落下してしまうことは抑制される。図５（Ｃ）では、スマートフォン４１にカバー４１Ａが付けられ、被支持体としての厚さが厚くなっているため、先端に突部１８が形成された平坦部１５に置かれて、スマートフォン４１の下部をより確実に保持して、スマートフォン４１を操作したとき、スマートフォン４１の下部が平坦部１５から外れて落下してしまうことがないようにしている。図５（Ｄ）では、スマートフォン４１に比べて体格の大きいタブレット型コンピュータ４２を支持するために、基本形の組立式スタンドに比べて横幅を広くされた組立式スタンドを使用しているため、大きなタブレット型コンピュータ４２を安定して支持することができる。
【００１６】
以上の第１実施形態によれば、連結部２０によって連結される支持部１０の数を適宜選択することにより、任意の形状、大きさの組立式スタンドを構成することができる。
また、支持部１０の貫通孔１１、１２、１３に棒状部材２０を差し込むことにより複数の支持部１０が連結されるため、図１（Ｄ）のように一本の棒状部材２０に２以上の支持部１０を連結することもできる。それにより組立式スタンドとしての強度を適宜高めることができる。
棒状部材２０を違う位置にある貫通孔１１、１２、１３に差し込んで複数の支持部１０を連結することにより違う形状の組立式スタンドを得ることができる。
また、図１（Ｃ）のように一つの棒状部材２０によって一対の支持部１０が連結された組立式スタンドに対して、別の棒状部材２０と別の貫通孔１１、１２、１３を使って別の支持部１０を追加して連結することができる。従って、任意の数の棒状部材２０と支持部１０とを使って任意の大きさの組立式スタンドを得ることができる。
支持部１０及び連結部２０は透明なＡＢＳ樹脂によって構成されているため、ＡＢＳ樹脂の弾性により支持部１０と連結部２０との連結時の接合強度を適度に確保することができる。また、ＡＢＳ樹脂の表面の柔軟性により支持部１０と連結部２０の取扱時の触感を良くすることができる。更に、支持部１０及び連結部２０は、透明なＡＢＳ樹脂であるため導光性を有し、支持部１０及び連結部２０に光を当てることにより、組立式スタンド全体を光らせることができ、装飾性を高めることができる。
【００１７】
図６は、本発明における第２実施形態であり、第１実施形態における図２と同様に組立式スタンドの基本形を構成する支持部１００及び連結部２００を樹脂の射出成形にて製造した成形品を示している。第２実施形態が上述の第１実施形態に対して特徴とする点は、支持部１００の形状や寸法が支持部１０に対して僅かに変更されていることと、連結部２００の寸法が連結部２０に対して僅かに変更されていること、更に成形品として成形される際の支持部１００及び連結部２００の配置の仕方が変更されていることであり、その他の点は両実施形態は全く同一であり、同一部分についての再度の説明は省略する。
第１実施形態の支持部１０では平坦部１５と平坦部１６との間に突部１８を形成したが、第２実施形態の支持部１００では対応する部分に係る突部を形成していない。その他、各部の形状や寸法が図２と図６を比較すると明らかなように変更されている。また、成形品としての支持部１００及び連結部２００の配置については、二つの支持部１００の間に連結部２００を挟んで、二つの支持部１００は互いに点対称となるように配置されている。なお、支持部１００と連結部２００とを一体につなぐゲート部３０１、３０２は、第１実施形態におけるゲート部３１、３２に比べて長さが長く形成されている。
以上の第２実施形態においても、上述した第１実施形態の場合と同様に、組立式スタンドの基本形を成す二つの支持部１００と一つの連結部２００とが一つの平面を成すように一体に形成され、この状態でパッケージングすることによりコンパクトで取扱い易い商品とすることができる。
【００１８】
以上、特定の実施形態について説明したが、本発明は、それらの外観、構成に限定されず、本発明の要旨を変更しない範囲で種々の変更、追加、削除が可能である。例えば、
１．支持部及び連結部は、金属、木材、陶磁器など樹脂以外の材料によって構成しても良い。また、支持部と連結部とを互いに違う材料によって構成しても良い。更に、支持部と連結部のそれぞれが違う材料の組み合わせによって構成されても良く、例えば芯材に比較的強度の高い材料を使用し、その表面を被う表層材として比較的軟質の材料を使用することもできる。或いは装飾効果の高い材料を部分的に接着させることもできる。
２．支持部と連結部の連結構造は、実施形態のような両者の嵌め合い構造でも良いし、結合部材を介在させた連結でも良い。その場合の結合部材として接着材や面ファスナを使用することもできる。
【符号の説明】
【００１９】
１０、１００  支持部
１０Ａ  下部支持部
１０Ｂ  上部支持部
１１、１２、１３  貫通孔
１４    屈曲部
１５、１６、１７  平坦部
１８、１９  突部
２０、２００  連結部（棒状部材）
３１、３２、３０１、３０２  ゲート部
４１    スマートフォン（被支持体）
４１Ａ  カバー
４２    タブレット型コンピュータ（被支持体）
【図１】
2014144193.tif 000003
【図２】
2014144193.tif 000004
【図３】
2014144193.tif 000005
【図４】
2014144193.tif 000006
【図５】
2014144193.tif 000007
【図６】
2014144193.tif 000008